(57)【要約】【課題】簡易に無線信号伝送時におけるフェージングの対策と電波伝搬遅延の対策との双方を行う。【解決手段】無線基地局１は、無線端末との間が、フェージングの発生、及び、所定時間以上の電波伝搬遅延の発生の少なくとも何れかの状態であることを推定した場合、無線端末に対して、既に割り当て済みの下りタイムスロット及び上りタイムスロットに加えて、空きタイムスロットである下りタイムスロット及び上りタイムスロットを割り当てる。更に、無線基地局１は、追加割り当てした下りタイムスロットの送信タイミングを、基準の送信タイミングよりも早いタイミングに設定し、基準の送信タイミングの下りタイムスロットと、基準よりも早い送信タイミングの下りタイムスロットとを、同一の情報に対応する下り方向の無線信号の送信に用いて、当該同一の情報に対応する下り方向の無線信号を無線端末へ送信する。【選択図】図３
2010232918.tif 000002
【特許請求の範囲】
【請求項１】
複数のタイムスロットによりフレームが構成されており、第１通信装置と第２通信装置との間で前記タイムスロットを用いて無線信号の伝送が行われる通信システムであって、
前記第１通信装置は、
前記第２通信装置との間におけるフェージングの発生、及び、所定時間以上の電波伝搬遅延の発生の少なくとも何れかの状態であることを推定する推定部と、
前記推定部により、前記第２通信装置との間におけるフェージングの発生、及び、所定時間以上の電波伝搬遅延の発生の少なくとも何れかの状態であることが推定された場合に、前記第１通信装置から前記第２通信装置への通信に用いられる複数の第１のタイムスロットのうち、一部の前記第１のタイムスロットにおける送信タイミングを、第１の基準の送信タイミングよりも早い第１の調整送信タイミングに設定する第１の送信制御部と、
前記第１の調整送信タイミングが設定された前記第１のタイムスロットと、他の前記第１のタイムスロットとのそれぞれに、同一の第１の情報に対応する無線信号を割り当てて前記第２通信装置へ送信する第１の送信部と、
を備え、
前記第２通信装置は、
前記第１通信装置からの前記第１の調整送信タイミングが設定された前記第１のタイムスロットと、他の前記第１のタイムスロットとにより送信される前記同一の第１の情報に対応する無線信号を受信する受信部と、
前記受信部による、前記第１の調整送信タイミングが設定された前記第１のタイムスロットにより送信される前記無線信号の受信タイミングに基づいて、前記第２通信装置から前記第１通信装置への通信に用いられる第２のタイムスロットのうち、一部の前記第２のタイムスロットにおける送信タイミングを、第２の基準の送信タイミングよりも早い第２の調整送信タイミングに設定する第２の送信制御部と、
前記第２の調整送信タイミングが設定された前記第２のタイムスロットと、他の前記第２のタイムスロットとのそれぞれに、同一の第２の情報に対応する無線信号を割り当てて前記第１通信装置へ送信する第２の送信部と、
を備える通信システム。
【請求項２】
複数のタイムスロットによりフレームが構成されており、前記タイムスロットを用いて、他の通信装置との間で無線信号を伝送する通信装置であって、
前記他の通信装置との間におけるフェージングの発生、及び、所定時間以上の電波伝搬遅延の発生の少なくとも何れかの状態であることを推定する推定部と、
前記推定部により、前記他の通信装置との間におけるフェージングの発生、及び、所定時間以上の電波伝搬遅延の発生の少なくとも何れかの状態であることが推定された場合に、自通信装置から前記他の通信装置への通信に用いられる複数のタイムスロットのうち、一部の前記タイムスロットにおける送信タイミングを、基準の送信タイミングよりも早い調整送信タイミングに設定する送信制御部と、
前記調整送信タイミングが設定された前記タイムスロットと、他の前記タイムスロットとのそれぞれに、同一の情報に対応する無線信号を割り当てて前記他の通信装置へ送信する送信部と、
を備える通信装置。
【請求項３】
前記推定部は、通信品質を示す複数の要素の少なくとも何れかが、前記要素毎に設定された閾値を超えて劣化している場合、前記他の通信装置との間におけるフェージングの発生、及び、所定時間以上の電波伝搬遅延の発生の少なくとも何れかの状態であることを推定する請求項２に記載の通信装置。
【請求項４】
前記送信制御部は、前記他の通信装置に対して、１つの前記フレーム内の複数の前記タイムスロットを割り当てるとともに、前記割り当てたタイムスロットのうち、一部の前記タイムスロットにおける送信タイミングを、前記調整送信タイミングに設定する請求項２又は３に記載の通信装置。
【請求項５】
前記送信制御部は、前記他の通信装置に対して、複数の前記フレームの全て又は一部のそれぞれにおける１つの前記タイムスロットを割り当てるとともに、前記割り当てたタイムスロットのうち、一部の前記タイムスロットにおける送信タイミングを、前記調整送信タイミングに設定する請求項２又は３に記載の通信装置。
【請求項６】
前記送信制御部は、前記タイムスロットの使用状況に応じて、１つの前記フレーム内の複数の前記タイムスロットを割り当てること、及び、複数の前記フレームの全て又は一部のそれぞれにおける１つの前記タイムスロットを割り当てることの何れかを行う請求項２乃至５の何れかに記載の通信装置。
【請求項７】
複数のタイムスロットによりフレームが構成されており、前記タイムスロットを用いて、他の通信装置との間で無線信号を伝送する通信装置であって、
前記他の通信装置からの送信タイミングが第１の基準の送信タイミングよりも早い第１の調整送信タイミングに設定された第１のタイムスロットと、他の前記第１のタイムスロットとにより送信される同一の第１の情報に対応する無線信号を受信する受信部と、
前記受信部による、前記第１の調整送信タイミングが設定された前記第１のタイムスロットを用いて送信される前記無線信号の受信タイミングに基づいて、自通信装置から前記他の通信装置への通信に用いられる第２のタイムスロットのうち、一部の前記第２のタイムスロットにおける送信タイミングを、第２の基準の送信タイミングよりも早い第２の調整送信タイミングに設定する送信制御部と、
前記第２の調整送信タイミングが設定された前記第２のタイムスロットと、他の前記第２のタイムスロットとのそれぞれに、同一の第２の情報に対応する無線信号を割り当てて前記他の通信装置へ送信する送信部と、
を備える通信装置。
【請求項８】
第１通信装置及び第２通信装置を含み、複数のタイムスロットによりフレームが構成されており、前記第１通信装置と前記第２通信装置との間で前記タイムスロットを用いて無線信号の伝送が行われる通信システムにおける通信方法であって、
前記第１通信装置が、前記第２通信装置との間におけるフェージングの発生、及び、所定時間以上の電波伝搬遅延の発生の少なくとも何れかの状態であることを推定するステップと、
前記第１通信装置が、前記第２通信装置との間におけるフェージングの発生、及び、所定時間以上の電波伝搬遅延の発生の少なくとも何れかの状態であることが推定された場合に、前記第１通信装置から前記第２通信装置への通信に用いられる複数の第１のタイムスロットのうち、一部の前記第１のタイムスロットにおける送信タイミングを、第１の基準の送信タイミングよりも早い第１の調整送信タイミングに設定するステップと、
前記第１通信装置が、前記第１の調整送信タイミングが設定された前記第１のタイムスロットと、他の前記第１のタイムスロットとのそれぞれに、同一の第１の情報に対応する無線信号を割り当てて前記第２通信装置へ送信するステップと、
前記第２通信装置が、前記第１通信装置からの前記第１の調整送信タイミングが設定された前記第１のタイムスロットと、他の前記第１のタイムスロットとにより送信される前記同一の第１の情報に対応する無線信号を受信するステップと、
前記第２通信装置が、前記第１の調整送信タイミングが設定された前記第１のタイムスロットを用いて送信される前記無線信号の受信タイミングに基づいて、前記第２通信装置から前記第１通信装置への通信に用いられる第２のタイムスロットのうち、一部の前記第２のタイムスロットにおける送信タイミングを、第２の基準の送信タイミングよりも早い第２の調整送信タイミングに設定するステップと、
前記第２通信装置が、前記第２の調整送信タイミングが設定された前記第２のタイムスロットと、他の前記第２のタイムスロットとのそれぞれに、同一の第２の情報に対応する無線信号を割り当てて前記第１通信装置へ送信するステップと、
を備える通信方法。
【発明の詳細な説明】
【技術分野】
【０００１】
本発明は、複数のタイムスロットによりフレームが構成されており、２つの通信装置の間でタイムスロットを用いて無線信号の伝送が行われる通信システム、当該通信システムを構成する通信装置、及び、当該通信システムにおける通信方法に関する。
【背景技術】
【０００２】
複数の無線端末と無線基地局との間で時分割複信（ＴＤＤ）及び時分割多重（ＴＤＭＡ）により通信を行う無線通信システムでは、無線基地局及び無線端末は、受信側での受信信号強度（ＲＳＳＩ：Received Signal Strength Indicator）、受信側でのビット誤り率（ＢＥＲ：Bit Error Rate）、再送回数等の通信品質を示す要素（通信品質要素）が閾値を超えて劣化している場合、伝送時の変調クラスを下げる（変調多値数を下げる）、送信電力を増加させる、周波数を変更する等により、通信品質の改善を試みる。
【０００３】
上述した通信品質の改善手法にもかかわらず、所望の通信品質が得られない場合、通信品質の劣化の原因は、フェージングや電波伝搬遅延による信号衝突に概ね絞られる。
【０００４】
フェージングの対策としては、特許文献１において、移動局は、下りリンク用のタイムスロット毎に無線品質指標値を測定し、当該無線品質指標値に基づいて送信ダイバーシチの切替タイミングを判定する。また、特許文献２において、基地局装置は、端末装置において、受信されるデータについて許容される遅延時間に適合するように、同一データを複数のタイムスロットに割り当てるスロットダイバーシチを実行する。
【０００５】
また、電波伝搬遅延の対策としては、例えば、特許文献３において、携帯電話機は、電波伝搬時間を考慮して、送信タイミングを制御する。また、特許文献４において、無線通信端末は、受信信号強度が弱い場合には、無線基地局に対して送信する信号の送信タイミングを早める。
【先行技術文献】
【特許文献】
【０００６】
【特許文献１】特開２００３−３４７９８０号公報
【特許文献２】特開２００８−４８０７２号公報
【特許文献３】特開平１０−２３３７２７号公報
【特許文献４】特開２００２−２６２３５６号公報
【発明の概要】
【発明が解決しようとする課題】
【０００７】
しかしながら、フェージングの対策と電波伝搬遅延の対策との双方が行われる場合、上述した手法の単なる組み合わせでは、フェージングの発生と、電波伝搬遅延の発生との双方の判定が必要になる。また、フェージングの発生時と、電波伝搬遅延の発生時とにおいて、異なる処理が必要であり、煩雑であった。
【０００８】
上記問題点に鑑み、本発明は、簡易に無線信号伝送時におけるフェージングの対策と電波伝搬遅延の対策との双方を行うことが可能な通信システム、通信装置及び通信方法を提供することを目的とする。
【課題を解決するための手段】
【０００９】
上述した課題を解決するために、本発明は以下のような特徴を有している。まず、本発明の第１の特徴は、複数のタイムスロットによりフレームが構成されており、第１通信装置（無線基地局１）と第２通信装置（無線端末２Ａ乃至２Ｃ）との間で前記タイムスロットを用いて無線信号の伝送が行われる通信システムであって、前記第１通信装置は、前記第２通信装置との間におけるフェージングの発生、及び、所定時間以上の電波伝搬遅延の発生の少なくとも何れかの状態であることを推定する推定部（推定部１５２）と、前記推定部により、前記第２通信装置との間におけるフェージングの発生、及び、所定時間以上の電波伝搬遅延の発生の少なくとも何れかの状態であることが推定された場合に、前記第１通信装置から前記第２通信装置への通信に用いられる複数の第１のタイムスロットのうち、一部の前記第１のタイムスロットにおける送信タイミングを、第１の基準の送信タイミングよりも早い第１の調整送信タイミングに設定する第１の送信制御部（送信制御部１５４）と、前記第１の調整送信タイミングが設定された前記第１のタイムスロットと、他の前記第１のタイムスロットとのそれぞれに、同一の第１の情報に対応する無線信号を割り当てて前記第２通信装置へ送信する第１の送信部（送信処理部１５６）とを備え、前記第２通信装置は、前記第１通信装置からの前記第１の調整送信タイミングが設定された前記第１のタイムスロットと、他の前記第１のタイムスロットとにより送信される前記同一の第１の情報に対応する無線信号を受信する受信部（受信処理部２５２）と、前記受信部による、前記第１の調整送信タイミングが設定された前記第１のタイムスロットにより送信される前記無線信号の受信タイミングに基づいて、前記第２通信装置から前記第１通信装置への通信に用いられる第２のタイムスロットのうち、一部の前記第２のタイムスロットにおける送信タイミングを、第２の基準の送信タイミングよりも早い第２の調整送信タイミングに設定する第２の送信制御部（送信制御部２５４）と、前記第２の調整送信タイミングが設定された前記第２のタイムスロットと、他の前記第２のタイムスロットとのそれぞれに、同一の第２の情報に対応する無線信号を割り当てて前記第１通信装置へ送信する第２の送信部（送信処理部２５６）とを備えることを要旨とする。
【００１０】
このような通信システムでは、第１通信装置は、第２通信装置との間が、フェージングの発生、及び、所定時間以上の電波伝搬遅延の発生の少なくとも何れかの状態であることを推定した場合、第１通信装置から第２通信装置への通信に用いられる複数の第１のタイムスロットのうち、一部の第１のタイムスロットにおける送信タイミングを、第１の基準の送信タイミングよりも早い第１の調整送信タイミングに設定する。更に、第１通信装置は、第１の調整送信タイミングが設定された第１のタイムスロットと、他の第１のタイムスロットとのそれぞれに、同一の第１の情報に対応する無線信号を割り当てて第２通信装置へ送信する。
【００１１】
これにより、第２通信装置は、複数の第１のタイムスロットによって送信される同一の第１の情報を受信することになる。したがって、スロットダイバーシチにより、第２通信装置は、フェージングが生じている場合にも、正常に無線信号を受信することができる。
【００１２】
また、複数の第１のタイムスロットのうちの一部における送信タイミングが早められている。このため、第２通信装置は、一部の第１のタイムスロットにおいて、通常よりも早いタイミングで無線信号を受信することができ、他の第１のタイムスロットにおいて、通常のタイミングで無線信号を受信することができる。したがって、第２通信装置は、所定時間以上の電波伝搬遅延が生じている場合には、通常よりも早いタイミングで送信された無線信号を正常に受信することができ、所定時間以上の電波伝搬遅延が生じていない場合には、通常のタイミングで送信された無線信号を正常に受信することができる。
【００１３】
また、第２通信装置は、第１のタイムスロットにより送信される無線信号の受信タイミングに基づいて、第２通信装置から第１通信装置への通信に用いられる第２のタイムスロットのうち、一部の第２のタイムスロットにおける送信タイミングを、第２の基準の送信タイミングよりも早い第２の調整送信タイミングに設定する。更に、第２通信装置は、第２の調整送信タイミングが設定された第２のタイムスロットと、他の第２のタイムスロットとのそれぞれに、同一の第２の情報に対応する無線信号を割り当てて第１通信装置へ送信する。
【００１４】
これにより、第１通信装置は、複数の第２のタイムスロットによって送信される同一の第２の情報を受信することになる。したがって、スロットダイバーシチにより、第１通信装置は、フェージングが生じている場合にも、正常に無線信号を受信することができる。
【００１５】
また、複数の第２のタイムスロットのうちの一部における送信タイミングが早められているため、第１通信装置は、一部の第２のタイムスロットにおいて、通常よりも早いタイミングで無線信号を受信することができ、他の第２のタイムスロットにおいて、通常のタイミングで無線信号を受信することができる。したがって、第１通信装置は、所定時間以上の電波伝搬遅延が生じている場合には、通常よりも早いタイミングで送信された無線信号を正常に受信することができるとともに、所定時間以上の電波伝搬遅延が生じていない場合には、通常のタイミング送信された無線信号を正常に受信することができる。
【００１６】
つまり、第１通信装置と第２通信装置との間における、フェージングの発生時の対処と、所定時間以上の電波伝搬遅延の発生時の対処とを別個独立に行う必要がなく、フェージングの発生、及び、所定時間以上の電波伝搬遅延の発生の何れかであることが推定されさえすれば、単一の対処によって、これらフェージングの発生、及び、所定時間以上の電波伝搬遅延の発生の何れの状態、あるいは、双方の状態であっても無線信号を正常に受信することができる。
【００１７】
本発明の第２の特徴は、複数のタイムスロットによりフレームが構成されており、前記タイムスロットを用いて、他の通信装置との間で無線信号を伝送する通信装置であって、前記他の通信装置との間におけるフェージングの発生、及び、所定時間以上の電波伝搬遅延の発生の少なくとも何れかの状態であることを推定する推定部と、前記推定部により、前記他の通信装置との間におけるフェージングの発生、及び、所定時間以上の電波伝搬遅延の発生の少なくとも何れかの状態であることが推定された場合に、自通信装置から前記他の通信装置への通信に用いられる複数のタイムスロットのうち、一部の前記タイムスロットにおける送信タイミングを、基準の送信タイミングよりも早い調整送信タイミングに設定する送信制御部と、前記調整送信タイミングが設定された前記タイムスロットと、他の前記タイムスロットとのそれぞれに、同一の情報に対応する無線信号を割り当てて前記他の通信装置へ送信する送信部とを備えることを要旨とする。
【００１８】
本発明の第３の特徴は、本発明の第２の特徴に係り、前記推定部は、通信品質を示す複数の要素の少なくとも何れかが、前記要素毎に設定された閾値を超えて劣化している場合、前記他の通信装置との間におけるフェージングの発生、及び、所定時間以上の電波伝搬遅延の発生の少なくとも何れかの状態であることを推定することを要旨とする。
【００１９】
本発明の第４の特徴は、本発明の第２又は第３の特徴に係り、前記送信制御部は、前記他の通信装置に対して、１つの前記フレーム内の複数の前記タイムスロットを割り当てるとともに、前記割り当てたタイムスロットのうち、一部の前記タイムスロットにおける送信タイミングを、前記調整送信タイミングに設定することを要旨とする。
【００２０】
本発明の第５の特徴は、本発明の第２又は第３の特徴に係り、前記送信制御部は、前記他の通信装置に対して、複数の前記フレームの全て又は一部のそれぞれにおける１つの前記タイムスロットを割り当てるとともに、前記割り当てたタイムスロットのうち、一部の前記タイムスロットにおける送信タイミングを、前記調整送信タイミングに設定することを要旨とする。
【００２１】
本発明の第６の特徴は、本発明の第２乃至第５の特徴の何れかに係り、前記送信制御部は、前記タイムスロットの使用状況に応じて、１つの前記フレーム内の複数の前記タイムスロットを割り当てること、及び、複数の前記フレームの全て又は一部のそれぞれにおける１つの前記タイムスロットを割り当てることの何れかを行うことを要旨とする。
【００２２】
本発明の第７の特徴は、複数のタイムスロットによりフレームが構成されており、前記タイムスロットを用いて、他の通信装置との間で無線信号を伝送する通信装置であって、前記他の通信装置からの送信タイミングが第１の基準の送信タイミングよりも早い第１の調整送信タイミングに設定された第１のタイムスロットと、他の前記第１のタイムスロットとにより送信される同一の第１の情報に対応する無線信号を受信する受信部と、前記受信部による、前記第１の調整送信タイミングが設定された前記第１のタイムスロットを用いて送信される前記無線信号の受信タイミングに基づいて、自通信装置から前記他の通信装置への通信に用いられる第２のタイムスロットのうち、一部の前記第２のタイムスロットにおける送信タイミングを、第２の基準の送信タイミングよりも早い第２の調整送信タイミングに設定する送信制御部と、前記第２の調整送信タイミングが設定された前記第２のタイムスロットと、他の前記第２のタイムスロットとのそれぞれに、同一の第２の情報に対応する無線信号を割り当てて前記他の通信装置へ送信する送信部とを備えることを要旨とする。
【００２３】
本発明の第８の特徴は、第１通信装置及び第２通信装置を含み、複数のタイムスロットによりフレームが構成されており、前記第１通信装置と前記第２通信装置との間で前記タイムスロットを用いて無線信号の伝送が行われる通信システムにおける通信方法であって、前記第１通信装置が、前記第２通信装置との間におけるフェージングの発生、及び、所定時間以上の電波伝搬遅延の発生の少なくとも何れかの状態であることを推定するステップと、前記第１通信装置が、前記第２通信装置との間におけるフェージングの発生、及び、所定時間以上の電波伝搬遅延の発生の少なくとも何れかの状態であることが推定された場合に、前記第１通信装置から前記第２通信装置への通信に用いられる複数の第１のタイムスロットのうち、一部の前記第１のタイムスロットにおける送信タイミングを、第１の基準の送信タイミングよりも早い第１の調整送信タイミングに設定するステップと、前記第１通信装置が、前記第１の調整送信タイミングが設定された前記第１のタイムスロットと、他の前記第１のタイムスロットとのそれぞれに、同一の第１の情報に対応する無線信号を割り当てて前記第２通信装置へ送信するステップと、前記第２通信装置が、前記第１通信装置からの前記第１の調整送信タイミングが設定された前記第１のタイムスロットと、他の前記第１のタイムスロットとにより送信される前記同一の第１の情報に対応する無線信号を受信するステップと、前記第２通信装置が、前記第１の調整送信タイミングが設定された前記第１のタイムスロットを用いて送信される前記無線信号の受信タイミングに基づいて、前記第２通信装置から前記第１通信装置への通信に用いられる第２のタイムスロットのうち、一部の前記第２のタイムスロットにおける送信タイミングを、第２の基準の送信タイミングよりも早い第２の調整送信タイミングに設定するステップと、前記第２通信装置が、前記第２の調整送信タイミングが設定された前記第２のタイムスロットと、他の前記第２のタイムスロットとのそれぞれに、同一の第２の情報に対応する無線信号を割り当てて前記第１通信装置へ送信するステップとを備えることを要旨とする。
【発明の効果】
【００２４】
本発明によれば、簡易に無線信号伝送時におけるフェージングの対策と電波伝搬遅延の対策との双方を行うことが可能となる。
【図面の簡単な説明】
【００２５】
【図１】本発明の実施形態に係る無線通信システムの全体概略構成図である。
【図２】本発明の実施形態に係るフレームの構成を示す図である。
【図３】本発明の実施形態に係る無線基地局の構成図である。
【図４】本発明の実施形態に係る無線端末の構成図である。
【図５】本発明の実施形態に係る無線基地局の動作を示すフローチャートである。
【図６】本発明の実施形態に係る無線端末の動作を示すフローチャートである。
【図７】本発明の実施形態に係る下りタイムスロットにおける送信タイミング設定の第１の例を示す図である。
【図８】本発明の実施形態に係る上りタイムスロットにおける送信タイミング設定の第１の例を示す図である。
【図９】本発明の実施形態に係る下りタイムスロットにおける送信タイミング設定の第２の例を示す図である。
【図１０】本発明の実施形態に係る上りタイムスロットにおける送信タイミング設定の第２の例を示す図である。
【発明を実施するための形態】
【００２６】
次に、図面を参照して、本発明の実施形態を説明する。具体的には、（１）無線通信システムの構成、（２）無線通信システムの動作、（３）作用・効果、（４）その他の実施形態について説明する。以下の実施形態における図面の記載において、同一又は類似の部分には同一又は類似の符号を付している。
【００２７】
（１）無線通信システムの構成
まず、本発明の実施形態に係る無線通信システムの構成について、（１．１）無線通信システムの全体概略構成、（１．２）無線基地局の構成、（１．３）無線端末の構成の順に説明する。
【００２８】
（１．１）無線通信システムの全体概略構成
図１は、本発明の実施形態に係る無線通信システム１０の全体概略構成図である。
【００２９】
図１に示すように、無線通信システム１０は、ＰＨＳの無線通信システムである。この無線通信システム１０は、無線基地局１と、無線端末２Ａ、無線端末２Ｂ及び無線端末２Ｃとを含む。図１において、無線端末２Ａ乃至２Ｃは、無線基地局１が提供するセル３に在圏している。無線基地局１と、無線端末２Ａ乃至２Ｃとは、時分割複信及び時分割多重により信号を伝送する。
【００３０】
無線基地局１は、無線端末２Ａ乃至２Ｃとの通信に先立って、これら無線端末２Ａ乃至２Ｃに対して、フレーム内のタイムスロットを割り当てる。
【００３１】
図２は、フレームの構成を示す図である。図２に示すように、フレームは、上り方向（無線端末２Ａ乃至２Ｃから無線基地局１に向かう方向）の通信に用いられる上り時間帯と、下り方向（無線基地局１から無線端末２Ａ乃至２Ｃに向かう方向）の通信に用いられる下り時間帯とからなり、上り時間帯が４つの下りタイムスロットＵ１乃至Ｕ４に分割され、下り時間帯が４つの下りタイムスロットＤ１乃至Ｄ４に分割されている。
【００３２】
初期状態においては、フルレートの場合、無線基地局１は、無線端末２Ａに対して、各フレーム内の上りタイムスロットＵ１及び下りタイムスロットＤ１を割り当て、無線端末２Ｂに対して、各フレーム内の上りタイムスロットＵ２及び下りタイムスロットＤ２を割り当てる。また、無線基地局１は、無線端末２Ｃに対して、各フレーム内の上りタイムスロットＵ３及び下りタイムスロットＤ３を割り当てる。
【００３３】
無線基地局１と、無線端末２Ａ乃至２Ｃとは、無線端末２Ａ乃至２Ｃのそれぞれに割り当てられた下りタイムスロットを用いて、無線基地局１から無線端末２Ａ乃至２Ｃへの通信を行い、無線端末２Ａ乃至２Ｃのそれぞれに割り当てられた上りタイムスロットを用いて、無線端末２Ａ乃至２Ｃから無線基地局１への通信を行う。
【００３４】
（１．２）無線基地局の構成
図３は、無線基地局１の構成図である。図３に示すように、無線基地局１は、制御部１０２、記憶部１０３、有線通信部１０４、無線通信部１０６Ａ乃至１０６Ｄ、アダプティブアレイ方式のアンテナ１０８Ａ乃至１０８Ｄを含む。
【００３５】
制御部１０２は、例えばＣＰＵによって構成され、無線基地局１が具備する各種機能を制御する。記憶部１０３は、例えばメモリによって構成され、無線基地局１における制御などに用いられる各種情報を記憶する。
【００３６】
有線通信部１０４は、図示しない上位のネットワークにおけるゲートウェイサーバ等との間で通信を行う。
【００３７】
無線通信部１０６Ａ乃至１０６Ｄは、それぞれＲＦ回路、ベースバンド回路等を含み、変調及び復調、符号化及び復号等を行い、対応するアンテナ１０８Ａ乃至１０８Ｄを介して無線信号の送信及び受信を行う。
【００３８】
制御部１０２は、推定部１５２、送信制御部１５４及び送信処理部１５６を含む。
【００３９】
セル３内に存在する無線端末２Ａ乃至２Ｃは、下り方向（無線基地局１から無線端末に向かう方向）の通信品質の要素であるＲＳＳＩ、ＢＥＲ及び再送回数を含んだ制御チャネル信号を送信している。無線基地局１内の無線通信部１０６Ａ乃至１０６Ｄは、それぞれ対応するアンテナ１０８Ａ乃至１０８Ｄを介して、無線端末からの制御チャネル信号を受信する。
【００４０】
制御部１０２は、無線端末２Ａ乃至２Ｃのそれぞれからの下り方向のＲＳＳＩ、ＢＥＲ及び再送回数を入力する。また、制御部１０２は、上り方向（無線端末から無線基地局１に向かう方向）の通信品質の要素であるＲＳＳＩ、ＢＥＲ及び再送回数を測定する。
【００４１】
更に、制御部１０２内の推定部１５２は、下り方向のＲＳＳＩが第１の閾値を超えて劣化しているか否か、下り方向のＢＥＲが第２の閾値を超えて劣化しているか否か、及び、下り方向の再送回数が第３の閾値を超えているか否かを判定する。また、制御部１０２は、上り方向のＲＳＳＩが第４の閾値を超えて劣化しているか否か、上り方向のＢＥＲが第５の閾値を超えて劣化しているか否か、及び、上り方向の再送回数が第６の閾値を超えているか否かを判定する。ここで第１乃至第６の閾値は、記憶部１０３に記憶されている。
【００４２】
下り方向のＲＳＳＩ、下り方向のＢＥＲ、下り方向の再送回数、上り方向のＲＳＳＩ、上り方向のＢＥＲ、上り方向の再送回数の何れかが、対応する閾値を超えている場合には、制御部１０２は、変調多値数を下げる、送信電力を増加させる、周波数を変更することの少なくとも何れかを行うことにより、通信品質の改善を試みる。
【００４３】
その後、制御部１０２は、再度、無線端末２Ａ乃至２Ｃのそれぞれからの下り方向のＲＳＳＩ、ＢＥＲ及び再送回数を入力する。また、制御部１０２は、上り方向の通信品質の要素であるＲＳＳＩ、ＢＥＲ及び再送回数を測定する。
【００４４】
更に、制御部１０２内の推定部１５２は、下り方向のＲＳＳＩが第１の閾値を超えて劣化しているか否か、下り方向のＢＥＲが第２の閾値を超えて劣化しているか否か、及び、下り方向の再送回数が第３の閾値を超えているか否かを判定する。また、制御部１０２は、上り方向のＲＳＳＩが第４の閾値を超えて劣化しているか否か、上り方向のＢＥＲが第５の閾値を超えて劣化しているか否か、及び、上り方向の再送回数が第６の閾値を超えているか否かを判定する。
【００４５】
変調多値数を下げる、送信電力を増加させる、周波数を変更することの少なくとも何れかが行われても、なおも、下り方向のＲＳＳＩ、下り方向のＢＥＲ、下り方向の再送回数、上り方向のＲＳＳＩ、上り方向のＢＥＲ、上り方向の再送回数の何れかが、対応する閾値を超えている場合には、推定部１５２は、無線基地局１と無線端末との間が、フェージングの発生、及び、タイムスロットの時間帯を外れるような所定時間以上の電波伝搬遅延の発生の少なくとも何れかの状態であることを推定する。
【００４６】
無線基地局１と無線端末との間が、フェージングの発生、及び、所定時間以上の電波伝搬遅延の発生の少なくとも何れかの状態であることが推定された場合、送信制御部１５４は、未使用のタイムスロット（空きタイムスロット）が存在するか否かを判定する。空きタイムスロットが存在する場合、送信制御部１５４は、フェージングの発生、及び、所定時間以上の電波伝搬遅延が発生の少なくとも何れかの状態である無線端末に対して、空きタイムスロットを追加的に割り当てる。
【００４７】
この際、送信制御部１５４は、スロットダイバーシチを実行しておらず、且つ、送信タイミングを早めていない状態である、初期状態において、無線端末に対してフルレートでタイムスロットを割り当てている場合、すなわち、無線端末に対して各フレーム内の１つの下りタイムスロットと１つの上りタイムスロットとを割り当てている場合には、各フレーム内の１つの空き下りタイムスロットと１つの空き上りタイムスロットとを追加的に割り当てる。追加的に割り当てられたタイムスロットの情報（例えばスロット番号）は、無線端末へ通知される。
【００４８】
また、送信制御部１５４は、初期状態において、無線端末に対してハーフレートでタイムスロットを割り当てている場合、すなわち、無線端末に対して奇数番目のフレーム内の１つの下りタイムスロットと１つの上りタイムスロットとを割り当てている場合には、偶数番目のフレーム内の１つの空き下りタイムスロットと１つの空き上りタイムスロットとを追加的に割り当てる。あるいは、送信制御部１５４は、初期状態において、無線端末に対して偶数番目のフレーム内の１つの下りタイムスロットと１つの上りタイムスロットとを割り当てている場合には、奇数番目のフレーム内の１つの空き下りタイムスロットと１つの空き上りタイムスロットとを追加的に割り当てる。
【００４９】
また、送信制御部１５４は、タイムスロットの使用状況に応じて、追加的に割り当てるタイムスロットを決定してもよい。
【００５０】
具体的には、送信制御部１５４は、１つのフレーム内における空きタイムスロットの数が、例えば３つ以上である場合には、各フレーム内の１つの空き下りタイムスロットと１つの空き上りタイムスロットとを追加的に割り当てる。また、送信制御部１５４は、１つのフレーム内における空きタイムスロットの数が、例えば２つである場合には、フレームを１つ置きに選択し、当該選択したフレーム内の１つの空き下りタイムスロットと１つの空き上りタイムスロットとを追加的に割り当てる。更には、送信制御部１５４は、１つのフレーム内における空きタイムスロットの数が、例えば１つである場合には、フレームを３つ置きに選択し、当該選択したフレーム内の１つの空き下りタイムスロットと１つの空き上りタイムスロットとを追加的に割り当てる。
【００５１】
次に、送信制御部１５４は、追加的に割り当てられた下りタイムスロットの送信タイミングを、無線基地局１における初期状態時の送信タイミング（以下、「第１基準送信タイミング」と称する）よりも早いタイミング（以下、「第１調整送信タイミング」と称する）に設定する。具体的には、送信制御部１５４は、第１基準送信タイミングと第１調整送信タイミングとの時間差が、通信品質の要素の値と、対応する閾値との差に比例するように、第１調整送信タイミングを設定する。但し、送信制御部１５４は、上述した手順によって設定した第１調整送信タイミングが、対応する下りタイムスロットの前方の境界よりも前方となる場合には、第１調整送信タイミングを下りタイムスロットの前方の境界に合わせる。
【００５２】
送信処理部１５６は、初期状態において割り当てられた下りタイムスロット、すなわち、送信タイミングが第１基準送信タイミングの下りタイムスロットと、追加的に割り当てられた下りタイムスロット、すなわち、送信タイミングが第１調整送信タイミングの下りタイムスロットとを、同一の情報に対応する下り方向の無線信号の送信に用い、当該同一の情報に対応する下り方向の無線信号を無線端末へ送信する処理を行うことにより、スロットダイバーシチを実行する。
【００５３】
（１．３）無線端末の構成
図４は、無線端末２Ａの構成図である。図４に示すように、無線端末２Ａは、制御部２０２、記憶部２０３、無線通信部２０６、アンテナ２０８、モニタ２１０、マイク２１２、スピーカ２１４及び操作部２１６を含む。なお、無線端末２Ｂ及び２Ｃは、無線端末２Ａと同様の構成である。
【００５４】
制御部２０２は、例えばＣＰＵによって構成され、無線端末２Ａが具備する各種機能を制御する。記憶部２０３は、例えばメモリによって構成され、無線端末２Ａにおける制御などに用いられる各種情報を記憶する。
【００５５】
無線通信部２０６は、アンテナ２０８を介して無線信号の送信及び受信を行う。モニタ２１０は、制御部２０２を介して受信した画像を表示したり、操作内容（入力電話番号やアドレスなど）を表示したりする。マイク２１２は、音声を集音し、集音された音声に基づく音声データを制御部２０２へ出力する。スピーカ２１４は、制御部２０２から取得した音声データに基づいて音声を出力する。操作部２１６は、テンキーやファンクションキーなどによって構成され、ユーザの操作内容を入力するために用いられるインタフェースである。
【００５６】
制御部２０２は、受信処理部２５２、送信制御部２５４及び送信処理部２５６を含む。
【００５７】
制御部２０２は、下り方向のＲＳＳＩ、ＢＥＲ及び再送回数を測定する。更に、制御部２０２は、測定した下り方向のＲＳＳＩ、ＢＥＲ及び再送回数を含んだ制御チャネル信号を無線基地局１へ送信する処理を行う。
【００５８】
制御部２０２内の受信処理部２５２は、無線基地局１から、第１基準送信タイミングの下りタイムスロットと、第１調整送信タイミングの下りタイムスロットとを用いて送信される、同一の情報に対応する下り方向の無線信号を受信する処理を行う。
【００５９】
制御部２０２内の送信制御部２５４は、第１調整送信タイミングが第１基準送信タイミングに対してどれだけ早められたかを示す調整時間を特定する。具体的には、送信制御部２５４は、第１基準送信タイミングの下りタイムスロット内での無線信号の受信タイミングの時間位置と、第１調整送信タイミングの下りタイムスロット内での無線信号の受信タイミングの時間位置との差を調整時間として算出する。
【００６０】
更に、送信制御部２５４は、追加的に割り当てられた上りタイムスロットの送信タイミングを、無線端末２Ａにおける初期状態時の送信タイミング（以下、「第２基準送信タイミング」と称する）よりも調整時間だけ早いタイミング（以下、「第２調整送信タイミング」と称する）に設定する。但し、送信制御部２５４は、上述した手順によって設定した第２調整送信タイミングが、対応する上りタイムスロットの前方の境界よりも前方となる場合には、第２調整送信タイミングを当該上りタイムスロットの前方の境界に合わせる。
【００６１】
送信処理部２５６は、初期状態において割り当てられた上りタイムスロット、すなわち、送信タイミングが第２基準送信タイミングの上りタイムスロットと、追加的に割り当てられた上りタイムスロット、すなわち、送信タイミングが第２調整送信タイミングの上りタイムスロットとを、同一の情報に対応する上り方向の無線信号の送信に用い、当該同一の情報に対応する上り方向の無線信号を無線基地局１へ送信する処理を行うことにより、スロットダイバーシチを実行する。
【００６２】
（２）無線通信システムの動作
次に、無線通信システム１０の動作を説明する。図５は、無線基地局１の動作を示すフローチャートである。
【００６３】
ステップＳ１０１において、無線基地局１は、図７（ａ）及び図８（ａ）に示すように、無線端末２Ａに対して、各フレーム内の下りタイムスロットＤ１及び上りタイムスロットＵ１を割り当てる。これにより、無線基地局１と無線端末２Ａとの間で、フルレートでの通信が行われる。
【００６４】
ステップＳ１０２において、無線基地局１内の制御部１０２は、無線端末２Ａからの下り方向の通信品質の要素として、下り方向のＲＳＳＩ、下り方向のＢＥＲ及び下り方向の再送回数を取得する。また、制御部１０２は、上り方向の通信品質の要素として、上り方向のＲＳＳＩ、上り方向のＢＥＲ及び上り方向の再送回数を取得する。
【００６５】
ステップＳ１０３において、制御部１０２は、下り方向のＲＳＳＩ、下り方向のＢＥＲ、下り方向の再送回数、上り方向のＲＳＳＩ、上り方向のＢＥＲ、上り方向の再送回数の少なくとも何れかが、対応する閾値を超えているか否かを判定する。
【００６６】
下り方向のＲＳＳＩ、下り方向のＢＥＲ、下り方向の再送回数、上り方向のＲＳＳＩ、上り方向のＢＥＲ、上り方向の再送回数の何れかが、対応する閾値を超えていると判定した場合、ステップＳ１０４において、制御部１０２は、変調多値数を下げる、送信電力を増加させる、周波数を変更することの少なくとも何れかを行う。
【００６７】
その後、ステップＳ１０５において、制御部１０２は、再度、無線端末２Ａからの下り方向の通信品質の要素として、下り方向のＲＳＳＩ、下り方向のＢＥＲ及び下り方向の再送回数を取得する。また、制御部１０２は、上り方向の通信品質の要素として、上り方向のＲＳＳＩ、上り方向のＢＥＲ及び上り方向の再送回数を取得する。
【００６８】
ステップＳ１０６において、制御部１０２は、下り方向のＲＳＳＩ、下り方向のＢＥＲ、下り方向の再送回数、上り方向のＲＳＳＩ、上り方向のＢＥＲ、上り方向の再送回数の何れかが、対応する閾値を超えているか否かを判定する。
【００６９】
下り方向のＲＳＳＩ、下り方向のＢＥＲ、下り方向の再送回数、上り方向のＲＳＳＩ、上り方向のＢＥＲ、上り方向の再送回数の何れかが、対応する閾値を超えていると判定した場合、ステップＳ１０７において、制御部１０２内の推定部１５２は、無線基地局１と無線端末２Ａとの間が、フェージングの発生、及び、所定時間以上の電波伝搬遅延の発生の少なくとも何れかの状態であることを推定する。
【００７０】
ステップＳ１０８において、制御部１０２は、空きタイムスロットが存在するか否かを判定する。空きタイムスロットが存在する場合、ステップＳ１０９において、制御部１０２は、無線端末２Ａに対して、各フレーム内の１つの空き下りタイムスロット（ここでは、下りタイムスロットＤ４）と、１つの空き上りタイムスロット（ここでは、上りタイムスロットＵ４）とを、追加的に割り当てる。
【００７１】
上述のように、制御部１０２は、下りタイムスロットＤ４及び上りタイムスロットＵ４を同時に追加的に割り当ててもよいが、上り方向のフェージング又は電波伝搬遅延が発生したと推定される場合には、上りタイムスロットのみを追加的に割り当ててもよく、下り方向のフェージング又は電波伝搬遅延が発生したと推定される場合には、下りタイムスロットのみを追加的に割り当ててもよい。
【００７２】
ステップＳ１１０において、制御部１０２内の送信制御部１５４は、各フレーム内の割り当て済みの２つの下りタイムスロットＤ１及びＤ４のうち、追加的に割り当てられた下りタイムスロットＤ４の送信タイミングを、第１基準送信タイミングよりも早い第１調整送信タイミングに設定する。これにより、図７（ｂ）に示すように、下りタイムスロットＤ４の送信時間帯＃Ｄ４が早まる。なお、制御部１０２内の送信制御部１５４は、下りタイムスロットＤ４に代えて、下りタイムスロットＤ１の送信タイミングを第１調整送信タイミングに設定してもよい。更に、制御部１０２内の送信処理部１５６は、第１基準送信タイミングの下りタイムスロットＤ１と、第１調整送信タイミングの下りタイムスロットＤ４とを、同一の情報に対応する下り方向の無線信号の送信に用い、当該同一の情報に対応する下り方向の無線信号を無線端末２Ａへ送信する処理を行う。すなわち、制御部１０２は、無線端末２Ａとの下り方向の通信に、スロットダイバーシチを実行する。
【００７３】
図６は、無線端末２Ａの動作を示すフローチャートである。
【００７４】
ステップＳ２０１において、無線基地局２Ａ内の制御部２０２内の受信処理部２５２は、無線基地局１から、第１基準送信タイミングの下りタイムスロットＤ１と、第１調整送信タイミングの下りタイムスロットＤ４とを用いて送信される、同一の情報に対応する下り方向の無線信号を受信する処理を行う。
【００７５】
ステップＳ２０２において、制御部２０２内の送信制御部２５４は、各フレーム内の割り当て済みの２つの上りタイムスロットＵ１及びＵ４のうち、追加割り当てされた上りタイムスロットＵ４の送信タイミングを、第２基準送信タイミングよりも早い第２調整送信タイミングに設定する。これにより、図８（ｂ）に示すように、上りタイムスロットＵ４の送信時間帯＃Ｕ４が早まる。なお、制御部２０２内の送信制御部２５４は、上りタイムスロットＵ４に代えて、上りタイムスロットＵ１の送信タイミングを第２調整送信タイミングに設定してもよい。更に、制御部２０２内の送信処理部２５６は、第２基準送信タイミングの上りタイムスロットＵ１と、第２調整送信タイミングの上りタイムスロットＵ４とを、同一の情報に対応する上り方向の無線信号の送信に用い、当該同一の情報に対応する上り方向の無線信号を無線基地局１へ送信する処理を行う。すなわち、制御部２０２は、無線基地局１との上り方向の通信に、スロットダイバーシチを実行する。
【００７６】
（３）作用・効果
本発明の実施形態に係る無線通信システム１０において、無線基地局１は、無線端末２Ａとの間が、フェージングの発生、及び、所定時間以上の電波伝搬遅延の発生の少なくとも何れかの状態であることを推定した場合、無線端末２Ａに対して、既に割り当て済みの下りタイムスロットＤ１及び上りタイムスロットＵ１に加えて、空きタイムスロットである下りタイムスロットＤ４及び上りタイムスロットＵ４を割り当てる。更に、無線基地局１は、下りタイムスロットＤ４の送信タイミングを、第１基準送信タイミングよりも早いタイミングに設定し、第１基準送信タイミングの下りタイムスロットＤ１と、第１調整送信タイミングの下りタイムスロットＤ４とを、同一の情報に対応する下り方向の無線信号の送信に用いて、当該同一の情報に対応する下り方向の無線信号を無線端末２Ａへ送信する。
【００７７】
これにより、無線端末２Ａは、複数の下りタイムスロットＤ１及びＤ４を用いて送信される同一の情報を受信することができる。したがって、スロットダイバーシチにより、無線端末２Ａは、フェージングが生じている場合にも、正常に無線信号を受信することができる。
【００７８】
また、下りタイムスロットＤ１における送信タイミングは、第１基準送信タイミングであり、下りタイムスロットＤ４における送信タイミングは、第１基準送信タイミングよりも早い第１調整送信タイミングである。このため、無線端末２Ａは、下りタイムスロットＤ４において、通常よりも早いタイミングで無線信号を受信することができ、下りタイムスロットＤ１において、通常のタイミングで無線信号を受信することができる。すなわち、無線端末２Ａは、電波伝搬遅延が生じている場合には、通常よりも早いタイミングで無線信号を受信することができるとともに、電波伝搬遅延が生じていない場合には、通常のタイミングで無線信号を受信することができる。
【００７９】
また、無線端末２Ａは、下りタイムスロットＤ４を用いて送信される無線信号の受信タイミングに基づいて、上りタイムスロットＵ４における送信タイミングを、第２基準送信タイミングよりも早いタイミングに設定し、第２基準送信タイミングの上りタイムスロットＵ１と、第２調整送信タイミングの上りタイムスロットＵ４とを、同一の情報に対応する下り方向の無線信号の送信に用いて、当該同一の情報に対応する上り方向の無線信号を無線基地局１へ送信する。
【００８０】
これにより、無線基地局１は、複数の上りタイムスロットＵ１及びＵ４を用いて送信される同一の情報を受信することができる。したがって、スロットダイバーシチにより、無線基地局１は、フェージングが生じている場合にも、正常に無線信号を受信することができる。
【００８１】
また、上りタイムスロットＵ１における送信タイミングは、第２基準送信タイミングであり、上りタイムスロットＵ４における送信タイミングは、基準送信タイミングよりも早い第２調整送信タイミングである。このため、無線基地局１は、上りタイムスロットＵ４において、通常よりも早いタイミングで無線信号を受信することができ、上りタイムスロットＵ１において、通常のタイミングで無線信号を受信することができる。すなわち、無線基地局１は、電波伝搬遅延が生じている場合には、通常よりも早いタイミング送信された無線信号を正常に受信することができるとともに、所定時間以上の電波伝搬遅延が生じていない場合には、通常のタイミング送信された無線信号を正常に受信することができる。
【００８２】
つまり、無線基地局１と無線端末２Ａとの間における、フェージングの発生時の対処と、所定時間以上の電波伝搬遅延の発生時の対処とが別個独立に行われる必要がなく、フェージングの発生、及び、所定時間以上の電波伝搬遅延の発生の何れかであることが推定されさえすれば、単一の対処によって、これらフェージングの発生、及び、所定時間以上の電波伝搬遅延の発生の何れの状態、あるいは、双方の状態であっても無線信号を正常に受信することができる。
【００８３】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８４】
上述した実施形態では、無線基地局１は、無線端末２Ａに対して、各フレーム内の下りタイムスロットＤ１及び上りタイムスロットＵ１を割り当て、初期状態において、無線基地局１と無線端末２Ａとの間で、フルレートでの通信を可能としたが、初期状態において、ハーフレートやクオータレートでの通信を可能とするようにしてもよい。
【００８５】
無線基地局１は、図５のステップＳ１０１の動作に代えて、ハーフレートの場合、図９（ａ）及び図１０（ａ）に示すように、無線端末２Ａに対して、奇数番目のフレーム内の下りタイムスロットＤ１及び上りタイムスロットＵ１を割り当てる。
【００８６】
また、無線基地局１内の制御部１０２は、図５のステップＳ１０９の動作に代えて、図９（ｂ）及び図１０（ｂ）に示すように、無線端末２Ａに対して、偶数番目のフレーム内の下りタイムスロットＤ１及び上りタイムスロットＵ１を追加的に割り当てる。
【００８７】
更に、制御部１０２は、図５のステップＳ１１０の動作に代えて各フレーム内の割り当て済みの２つの下りタイムスロットＤ１のうち、追加割り当てされた偶数番目のフレーム内の下りタイムスロットＤ１の送信タイミングを、第１基準送信タイミングよりも早いタイミングに設定する。これにより、図９（ｂ）に示すように、フレーム２内の下りタイムスロットＤ１の送信時間帯＃Ｄ１が早まる。
【００８８】
更に、制御部１０２は、奇数番目のフレーム内の第１基準送信タイミングの下りタイムスロットＤ１と、偶数番目のフレーム内の第１調整送信タイミングの下りタイムスロットＤ１とを、同一の情報に対応する下り方向の無線信号の送信に用い、当該同一の情報に対応する下り方向の無線信号を無線端末２Ａへ送信する処理を行う。
【００８９】
一方、無線端末２Ａ内の制御部２０２は、図６のＳ２０１に動作に代えて、無線基地局１から、奇数番目のフレーム内の第１基準送信タイミングの下りタイムスロットＤ１と、偶数番目のフレーム内の第１調整送信タイミングの下りタイムスロットＤ１とを用いて送信される、同一の情報に対応する下り方向の無線信号を受信する処理を行う。
【００９０】
更に、制御部２０２は、図６のステップＳ２０２の動作に代えて、各フレーム内の割り当て済みの上りタイムスロットＵ１のうち、追加割り当てされた偶数番目のフレーム内の上りタイムスロットＵ１の送信タイミングを、第２基準送信タイミングよりも早いタイミングに設定する。これにより、図１０（ｂ）に示すように、フレーム２内の上りタイムスロットＵ１の送信時間帯＃Ｕ１が早まる。
【００９１】
更に、制御部１０２は、奇数番目のフレーム内の第２基準送信タイミングの上りタイムスロットＵ１と、偶数番目のフレーム内の第２調整送信タイミングの上りタイムスロットＵ１とを、同一の情報に対応する下り方向の無線信号の送信に用い、当該同一の情報に対応する下り方向の無線信号を無線基地局１へ送信する処理を行う。
【００９２】
また、初期状態において割り当てられるタイムスロットに対応する伝送レートと、追加割り当てされるタイムスロットに対応する伝送レートとは、同一でなくてもよい。
【００９３】
また、上述した実施形態では、無線基地局１及び無線端末２Ａは、追加割り当てされたタイムスロットの送信タイミングを基準の送信タイミングよりも早めたが、初期状態において割り当てられたタイムスロットの送信タイミングを基準の送信タイミングよりも早め、追加割り当てされたタイムスロットの送信タイミングを基準の送信タイミングのままとしてもよい。
【００９４】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００９５】
本発明の通信システム、通信装置及び通信方法は、簡易に無線信号伝送時におけるフェージングの対策と電波伝搬遅延の対策との双方を行うことが可能であり、通信システム等として有用である。
【符号の説明】
【００９６】
１…無線基地局、２Ａ〜２Ｃ…無線端末、３…セル、１０…無線通信システム、１０２…制御部、１０３…記憶部、１０４…有線通信部、１０６Ａ、１０６Ｂ、１０６Ｃ、１０６Ｄ…無線通信部、１０８Ａ、１０８Ｂ、１０８Ｃ、１０８Ｄ…アンテナ、１５２…推定部、１５４…送信制御部、１５６…送信処理部、２０２…制御部、２０３…記憶部、２０６…無線通信部、２０８…アンテナ、２１０…モニタ、２１２…マイク、２１４…スピーカ、２１６…操作部、２５２…受信処理部、２５４…送信制御部、２５６…送信処理部
【図１】
2010232918.tif 000003
【図２】
2010232918.tif 000004
【図３】
2010232918.tif 000005
【図４】
2010232918.tif 000006
【図５】
2010232918.tif 000007
【図６】
2010232918.tif 000008
【図７】
2010232918.tif 000009
【図８】
2010232918.tif 000010
【図９】
2010232918.tif 000011
【図１０】
2010232918.tif 000012